【手続補正書】
【提出日】平成18年12月8日(2006.12.8)
【手続補正１】
【補正対象書類名】特許請求の範囲
【補正対象項目名】全文
【補正方法】変更
【補正の内容】
【特許請求の範囲】
【請求項１】
引張り弾性率が７００ｋｇ／ｍｍ2 以下で、吸湿膨張係数が２０ｐｐｍ以下であり、下記一般式（１）および下記一般式（２）で表される繰り返し単位を分子中に含み、３５０℃での貯蔵粘弾性（Ｅ’（単位Ｐａ））が１．０×１０９以上であるポリイミドフィルム。
【化１】
2006328407.tif 000001
｛式中、Ｒ1 は、
【化２】
2006328407.tif 000002
から選ばれる２価の有機基（式中、Ｒ4 はＣＨ3−、Ｃｌ−、Ｂｒ−、Ｆ−またはＣＨ3Ｏ−である）であり、Ｒは、
【化３】
2006328407.tif 000003
(式中、ｎは１〜３の整数、Ｘは、水素、ハロゲン、カルボキシル基、炭素数６以下の低級アルキル基、炭素数６以下の低級アルコキシ基から選ばれる１価の置換基を表す。)、または
【化４】
2006328407.tif 000004
(式中、Ｙ、Ｚは、水素、ハロゲン、カルボキシル基、炭素数６以下の低級アルキル基、炭素数６以下の低級アルコキシ基から選ばれる１価の置換基を表し、Ｙ、Ｚは同じ置換基でも異なった置換基でもよく、Ａは、−Ｏ−，−Ｓ−，−ＣＯ−，−ＳＯ−，−ＳＯ2−，−ＣＨ2−から選ばれる２価の連結基を表す。)で表される２価の有機基である。}
【化５】
2006328407.tif 000005
(式中、Ｒは、一般式（１）のＲと同じであり、Ｒ3 は、
【化６】
2006328407.tif 000006
から選ばれる４価の有機基である。）
【請求項２】
１００〜２００℃における線膨張係数が５〜１５ｐｐｍである請求項１に記載のポリイミドフィルム。
【請求項３】
吸水率が３．０％以下である請求項１または２に記載のポリイミドフィルム。
【請求項４】
吸水率が２．０％以下である請求項１〜３のいずれかに記載のポリイミドフィルム。
【請求項５】
下記一般式（３）で表される繰り返し単位を分子中に含む請求項１〜４のいずれかに記載のポリイミドフィルム。
【化７】
2006328407.tif 000007
(式中、Ｒは、一般式（１）のＲと同じである。)
【請求項６】
下記一般式（４）で表される繰り返し単位と、下記一般式（５）で表される繰り返し単位とを分子中に含む請求項１〜５のいずれかに記載のポリイミドフィルム。
【化８】
2006328407.tif 000008
(式中、Ｒ2 は、
【化９】
2006328407.tif 000009
または
【化１０】
2006328407.tif 000010
から選ばれる２価の有機基である。）
【化１１】
2006328407.tif 000011
(式中、Ｒ2 は、一般式（４）のＲ2 と同じであり、Ｒ3 は、一般式（２）のＲ3 と同じである。)
【請求項７】
分子中に含まれる主たる繰り返し単位が、下記一般式（６）〜（９）で表される繰り返し単位である請求項１〜６のいずれかに記載のポリイミドフィルム。
【化１２】
2006328407.tif 000012
【請求項８】
上記分子中の一般式（６）〜（９）で表される繰り返し単位の数をそれぞれａ、ｂ、ｃ、ｄとし、ａ＋ｂ＋ｃ＋ｄをｓとしたとき、（ａ＋ｂ）／ｓ、（ａ＋ｃ）／ｓ、（ｂ＋ｄ）／ｓ、（ｃ＋ｄ）／ｓのいずれもが０．２５〜０．７５を満たす請求項７に記載のポリイミドフィルム。
【請求項９】
請求項１〜８のいずれかに記載のポリイミドフィルムの少なくとも片面に金属層を設けてなるフレキシブルプリント配線板用積層体。
【請求項１０】
金属層が熱硬化性接着剤を介して積層された請求項９に記載のフレキシブルプリント配線板用積層体。
【請求項１１】
金属層が熱可塑性ポリイミド接着剤を介して積層された請求項９に記載のフレキシブルプリント配線板用積層体。
【請求項１２】
ポリイミドフィルムの少なくとも片面に、加熱処理、コロナ処理、プラズマ処理、カップリング剤処理から選ばれる少なくとも１種の処理が施された請求項９〜１１のいずれかに記載のフレキシブルプリント配線板用積層体。
【請求項１３】
請求項１〜８のいずれかに記載のポリイミドフィルムの少なくとも片面に接着剤層を設けてなる接着フィルム。
【請求項１４】
接着剤層が熱硬化性接着剤よりなる請求項１３に記載の接着フィルム。
【請求項１５】
接着剤層が熱可塑性ポリイミド接着剤よりなる請求項１３に記載の接着フィルム。
【請求項１６】
磁気記録用ベースフィルム用である請求項１〜８のいずれかに記載のポリイミドフィルム。
【手続補正２】
【補正対象書類名】明細書
【補正対象項目名】０００８
【補正方法】変更
【補正の内容】
【０００８】
（１）  引張り弾性率が７００ｋｇ／ｍｍ2 以下で、吸湿膨張係数が２０ｐｐｍ以下であり、下記一般式（１）および下記一般式（２）で表される繰り返し単位を分子中に含み、３５０℃での貯蔵粘弾性（Ｅ’（単位Ｐａ））が１．０×１０９以上であるポリイミドフィルム。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２５
【補正方法】変更
【補正の内容】
【００２５】
から選ばれる４価の有機基である。）
（２）１００〜２００℃における線膨張係数が５〜１５ｐｐｍである上記（１）に記載のポリイミドフィルム。
（３）吸水率が３．０％以下である上記（１）または（２）に記載のポリイミドフィルム。
（４）吸水率が２．０％以下である上記（１）〜（３）のいずれかに記載のポリイミドフィルム。
【手続補正９】
【補正対象書類名】明細書
【補正対象項目名】００２６
【補正方法】変更
【補正の内容】
【００２６】
（５）下記一般式（３）で表される繰り返し単位を分子中に含む上記（１）〜（４）のいずれかに記載のポリイミドフィルム。
【手続補正１０】
【補正対象書類名】明細書
【補正対象項目名】００２９
【補正方法】変更
【補正の内容】
【００２９】
（６）下記一般式（４）で表される繰り返し単位と、下記一般式（５）で表される繰り返し単位とを分子中に含む上記（１）〜（５）のいずれかに記載のポリイミドフィルム。
【手続補正１１】
【補正対象書類名】明細書
【補正対象項目名】００３８
【補正方法】変更
【補正の内容】
【００３８】
（７）分子中に含まれる主たる繰り返し単位が、下記一般式（６）〜（９）で表される繰り返し単位である上記（１）〜（６）のいずれかに記載のポリイミドフィルム。
【手続補正１２】
【補正対象書類名】明細書
【補正対象項目名】００４０
【補正方法】変更
【補正の内容】
【００４０】
（８）分子中の上記一般式（６）〜（９）で表される繰り返し単位の数をそれぞれａ、ｂ、ｃ、ｄとし、ａ＋ｂ＋ｃ＋ｄをｓとしたとき、（ａ＋ｂ）／ｓ、(ａ＋ｃ)／ｓ、（ｂ＋ｄ）／ｓ、（ｃ＋ｄ）／ｓのいずれもが０．２５〜０．７５を満たす上記（７）に記載のポリイミドフィルム。
【手続補正１３】
【補正対象書類名】明細書
【補正対象項目名】００４１
【補正方法】変更
【補正の内容】
【００４１】
（９）上記（１）〜（８）のいずれかに記載のポリイミドフィルムの少なくとも片面に金属層を設けてなるフレキシブルプリント配線板用積層体。
【手続補正１４】
【補正対象書類名】明細書
【補正対象項目名】００４２
【補正方法】変更
【補正の内容】
【００４２】
（１０）金属層が熱硬化性接着剤を介して積層された上記（９）に記載のフレキシブルプリント配線板用積層体。
【手続補正１５】
【補正対象書類名】明細書
【補正対象項目名】００４３
【補正方法】変更
【補正の内容】
【００４３】
（１１）金属層が熱可塑性ポリイミド接着剤を介して積層された上記（９）に記載のフレキシブルプリント配線板用積層体。
【手続補正１６】
【補正対象書類名】明細書
【補正対象項目名】００４４
【補正方法】変更
【補正の内容】
【００４４】
（１２）ポリイミドフィルムの少なくとも片面に、加熱処理、コロナ処理、プラズマ処理、カップリング剤処理から選ばれる少なくとも１種の処理が施された上記（９）〜（１１）のいずれかに記載のフレキシブルプリント配線板用積層体。
【手続補正１７】
【補正対象書類名】明細書
【補正対象項目名】００４５
【補正方法】変更
【補正の内容】
【００４５】
（１３）上記（１）〜（８）のいずれかに記載のポリイミドフィルムの少なくとも片面に接着剤層を設けてなる接着フィルム。
【手続補正１８】
【補正対象書類名】明細書
【補正対象項目名】００４６
【補正方法】変更
【補正の内容】
【００４６】
（１４）接着剤層が熱硬化性接着剤よりなる上記（１３）に記載の接着フィルム。
【手続補正１９】
【補正対象書類名】明細書
【補正対象項目名】００４７
【補正方法】変更
【補正の内容】
【００４７】
（１５）接着剤層が熱可塑性ポリイミド接着剤よりなる上記（１３）に記載の接着フィルム。
【手続補正２０】
【補正対象書類名】明細書
【補正対象項目名】００４８
【補正方法】変更
【補正の内容】
【００４８】
（１６）磁気記録用ベースフィルム用である上記（１）〜（８）のいずれかに記載のポリイミドフィルム。